(57)【要約】      （修正有）【課題】美観性と安全性を向上させた薄型化ホイルリムの装飾灯を提供する。【解決手段】第１クローポールと第２クローポールを対向に設けられ、その内部はコイル組を覆って設けられ、第１クローポールと第２クローポールの周縁部は複数の第１極板と複数の第２極板を屈折して設けられ、かつ第１クローポールと第２クローポールの外部はフレームを覆っていて、フレームは磁気素子を内設され、外部は釣り合い重りを設けられている。【選択図】図２
0003175229.tif 000002
【実用新案登録請求の範囲】
【請求項１】
ホイルリムの中心部に取付けられ、回転に追随して発光することができる薄型化ホイルリムの装飾灯であって、
中心部は軸穴を開けられ、前記軸穴はブッシングを内設し、前記ブッシングの中心部は貫通穴を設ける基板と、
前記ブッシングに取付けられ、前記基板の一つの側に位置し、周縁部は同じ面に向かって屈折して複数の第１極板を設ける第１クローポールと、
前記ブッシングに取り付けられ、前記第１クローポールの一つの側に位置され、周縁部は前記第１クローポールと同じ面に屈折して複数の第２極板を設けられ、前記第１極板と前記第２極板は交差して設ける第２クローポールと、
前記ブッシングに設けていて、かつ前記第１クローポールと前記第２クローポールとの間に覆って設けるコイル組と、
前記基板の一つの側に設けられ、前記第１クローポールと前記第２クローポールを覆い、中心部は枢軸を設けられ、貫通穴を穿設して回転運動できるフレームと、
前記フレームの外周部に対応して設ける釣り合い重りと、
前記フレームに対応してリング状の構造体を仕上げられ、前記第１クローポールと前記第２クローポールに対応してそれぞれ複数の磁極部を設けられ、前記磁極部の磁性は異なっていて、交差して前記フレームの内部に繞設され、前記ホイルリムが回転するとき、前記フレームと前記磁気素子が同期して回転し、前記コイル組に誘導電流を発生させる磁気素子と、
前記コイル組に電気接続され、誘導電流を利用し発光する発光素子と、を備える、
薄型化ホイルリムの装飾灯。
【請求項２】
前記第１クローポールと前記第２クローポールはすべてディスク状の構造体を形成し、前記第１クローポールの中央部は前記ブッシングに対応して第１通し穴を設けられ、前記第２クローポールの中央部は前記ブッシングに対応して第２通し穴を設けられ、それぞれ前記ブッシングに固設していて、かつ前記第１通し穴の周縁部は第１係止部を形成し、前記第２通し穴の周縁部は第２係止部を形成する、前記第１係止部と前記第２係止部は互いに寄せ合って設けることを特徴とする、請求項１記載の薄型化ホイルリムの装飾灯。
【請求項３】
前記コイル組は絶縁ベースを設けられ、前記絶縁ベースの周縁部は外側に向かって、輪状の凹み溝を形成していて、銅金属ワイヤーは順を追って巻き付けられ、前記絶縁ベースは、前記第１係止部と前記第２係止部に嵌設する第３通し穴を設けることを特徴とする、請求項２記載の薄型化ホイルリムの装飾灯。
【請求項４】
前記ブッシングと前記フレームとの間は、潤滑するための当て物を設けることを特徴とする、請求項１記載の薄型化ホイルリムの装飾灯。
【請求項５】
前記基板もう一つの側に設けられ、前記発光素子に対応して光線の投射に備える透光シェルをさらに有することを特徴とする、請求項１記載の薄型化ホイルリムの装飾灯。
【考案の詳細な説明】
【技術分野】
【０００１】
本考案は発電装置の分野に関し、特に車のホイルリムの中心部に取付けて、追随回転ができ、発電して使用に備える薄型化ホイルリムの装飾灯に関する。
【背景技術】
【０００２】
通常、車に使用されている照明灯具は、ヘッドライト、霧灯、ブレーキ灯及び方向灯などがある。そのうち、方向灯はさらに夕方だが微かな光線があるとき、周りの車または歩行者の注意を促すための主な光源として、光線が不足する環境のサイドライトとして使用されている。これに対して、方向灯（サイドライト）は、車の各コーナーに取り付けて、車の走行によって光線の引きずり効果を有するが、側面方向の車または歩行者に対して、有効な警告効果を発揮できないばかりでなく、動力源は車のバッテリを使用し、使用時は常時発光を維持する必要があるため、バッテリの電力が消費される。
【先行技術文献】
【特許文献】
【０００３】
【特許文献１】中華民国実用新案第Ｍ３９２７６０号
【考案の概要】
【考案が解決しようとする課題】
【０００４】
よって、考案者は以前に車の走行時に発生する電力がホイルリム装飾灯を発光させる構造中華民国実用新案第Ｍ３９２７６０号（特許文献１）ホイルリム装飾灯の構造を出願登録している。図１の公知のホイルリム装飾灯構造の態様図を参照する。図示のとおり、ホイルリム装飾灯１はモータアセンブリ１１と、電気回路板１２と、複数の発光ダイオード１３と、一つのグローブ１４と、蓋体１５と、を備える。そのうち、モータアセンブリ１１は、モータ本体１１１と、釣り合い重り１１２と、を有し、モータ本体１１１は回転軸１１１１とシェルベース１１１２をさらに有する。蓋体１５は電気回路板１２一つの側に設けられ、かつ蓋体１５は回転軸１１１１に枢接していて、蓋体１５によって回転軸１１１１を駆動し、シェルベース１１１２を回転させ、電気エネルギーを発生して、発光ダイオード１３を發光させ、美観及び安全効果を有する。
【０００５】
しかし、モータアセンブリ１１に複数のコイル組１１３を設けていて、かつコイル組１１３はそれぞれ外向きに放射状に繞設されており、コイル組１１３の体積が大きすぎて、組み立て後全体の体積が大きくなり、ホイルリムの中心部に取り付けた後が表面に出っ張り、美観性を損なうほか、ぶつかって脱落の恐れがある。さらに、コイル組１１３を製造するときは、専用の捲線機を使用し銅のワイヤーは順を追って巻き付ける必要があるばかりでなく、使用する銅金属ワイヤーが多く、部材のコストを増加するため、改良の必要がある。
【課題を解決するための手段】
【０００６】
そのため、本考案の一目的は、フレームに内設された磁気素子によって、２つのクローポールに交差して設ける複数の極板と一つのコイル組に対応して回転した後に誘導電流を発生し、発電の量を大幅に向上できる薄型化ホイルリムの装飾灯を提供することである。
【０００７】
本考案の次の目的は、クローポールとコイル組の構造設計を利用し、体積軽減の効果を達成し、取付け後の美観及び安全効果に役立つ薄型化ホイルリムの装飾灯を提供することである。
【０００８】
本考案もう一つの目的は、モジュール化設計のコイル組を使用することによって、大幅に製造コストを軽減し、生産効率を向上する薄型化ホイルリムの装飾灯を提供することである。
【０００９】
前記目的を達成するため、本考案の薄型化ホイルリムの装飾灯はホイルリムの中心部に設けて追随して回転することができる。中心部は軸穴を設けられ、軸穴はブッシングを内設され、ブッシングの中心部は貫通穴を設ける基板と、ブッシングに設けられ、基板の一つの側に位置し、周縁部は同じ面に屈折して複数の第１極板を設ける第１クローポールと、ブッシングに設けられ、第１クローポールの一つの側に位置し、周縁部は同じ面に屈折して複数の第２極板を設けられ、第１極板と第２極板は交差して設ける第２クローポールと、ブッシングに設けられ、第１クローポールと第２クローポールとの間に覆って設けるコイル組と、基板の一つの側に設けられ、第１クローポールと第２クローポールを覆い、中心部は枢軸を設けられ、貫通穴を穿設して回転運動自在のフレームと、フレームの外周部形状に対応して、基板上に設ける釣り合い重りと、フレームに内設され、第１極板と第２極板に対応して、それぞれ複数の磁極部を設けられ、ホイルリムが回転するとき、フレームと磁気素子が同期して回転し、コイル組に誘導電流を発生させる磁気素子と、コイル組と電気接続し、誘導電流を利用して発光する光素子と、を備える。
【００１０】
一実施例において、組立の利便を図るため、第１クローポールと第２クローポールともディスク状の構造体を設けられ、第１クローポールの中央部は、ブッシングに対応して第１通し穴を設けられ、第２クローポールの中央部は、ブッシングに対応して第２通し穴を設けられ、それぞれブッシングに固設していて、かつ第１通し穴の周縁部は第１係止部を形成され、第２通し穴の周縁部は第２係止部を形成され、第１係止部と第２係止部は互いに係止して設けられ、コイル組は絶縁ベースを設けられ、絶縁ベースの周縁部は外部へ輪状の凹み溝を形成され、銅金属ワイヤーは順を追って巻き付けられ、絶縁ベースの中央部は、第１係止部と第２係止部の嵌設に備える第３通し穴を設けられている。
【００１１】
一実施例において、磁気素子はフレームに対応してディスク状の構造体を仕上げられ、磁極部は極性を異なっていて、交差して設けられ、第１クローポールと第２クローポールとを対応して、誘導電流を発生する。
【００１２】
そのうち、フレーム稼働時のスムーズと組み立て時の利便性を向上するため、ブッシングとフレームとの間に潤滑効果の当て物が設けられている。本考案の薄型化ホイルリムの装飾灯は、基板もう一つの側に設ける透光シェルをさらに設けられ、透光シェルは発光素子に対応して、光線を投射するための窓部を設けられている。
【図面の簡単な説明】
【００１３】
【図１】公知技術のホイルリム装飾灯の構造態様図である。
【図２】本考案の好ましい実施例の立体分解図である。
【図３】本考案の好ましい実施例組立後の断面視図である。
【図４】本考案の好ましい実施例の取付け後の態様図である。
【図５】本考案の好ましい実施例の使用態様図である。
【考案を実施するための形態】
【００１４】
本考案の内容のさらなる理解を図るため、以下にて図面と合わせて説明する。
【実施例】
【００１５】
図２ないし４、本考案の好ましい実施例の立体分解図及び組み立て後の断面図を参照する。図示のとおり、本考案の薄型化ホイルリムの装飾灯２は、ホイルリム３の中心部に設けて追随して運転し発光することができる。基板２１と、第１クローポール２２と、第２クローポール２３、コイル組２４と、フレーム２５、釣り合い重り２６と、磁気素子２７と、発光素子２８とグローブ２９と、を備える。
【００１６】
そのうち、基板２１は金属板材を選択され、中心部は軸穴２１１を開けられ、軸穴２１１はブッシング２１２を内設され、ブッシング２１２の中心部は、貫通穴２１２１を設けられている。
【００１７】
第１クローポール２２は、ディスク状の構造体を形成し、第１クローポール２２の中央部は、ブッシング２１２に対応して、第１通し穴２２１を設けられ、ブッシング２１２に固設していて、基板２１の一つの側に位置され、第１クローポール２２の周縁部は同じ面に屈折して複数の第１極板２２２を設けられている。引き続き、第１通し穴２２１の周縁部は、第１係止部２２１１を形成されている。
【００１８】
第２クローポール２３は同じくディスク状の構造体を形成し、第２クローポール２３の中央部は、ブッシング２１２を対応して、第２通し穴２３１を設けられ、ブッシング２１２に固設していて、かつ第１クローポール２２の一つの側に位置され、第２クローポール２３の周縁部は第１クローポール２２の同じ面に屈折して複数の第２極板２３２を設けられ、第１極板２２２と第２極板２３２は交差して設けられている。引き続き、第２通し穴２３１の周縁部は第２係止部２３１１を形成され、第１係止部２２１１と第２係止部２３１１は互いに寄せ合って設けられている。
【００１９】
コイル組２４は絶縁ベース２４１を設けられ、絶縁ベース２４１の周縁部は外向きに輪状の凹み溝２４１１を形成して、銅金属ワイヤー２４２は順を追って巻き付けられ、絶縁ベース２４１の中央部は、第１係止部２２１１と第２係止部２３１１との間に嵌設するための第３通し穴２４１２を設けられ、第１クローポール２２と第２クローポール２３との間に覆われている。
【００２０】
フレーム２５は、基板２１の一つの側に設けられ、第１クローポール２２と第２クローポール２３を覆われ、フレーム２５の中心部は枢軸２５１を設けられ、貫通穴２１２１にて回転運動自在に穿設する。引き続き、ブッシング２１２とフレーム２５との間は、潤滑目的の当て物２５２を設けられ、潤滑効果を向上し、フレーム２５の回転効果を向上させる。
【００２１】
釣り合い重り２６は、フレーム２５の外周縁に対応して、半円弧状の構造体を仕上げて、基板２１に固設する。
【００２２】
磁気素子２７はフレーム２５に対応して、リング状の構造体を仕上げて、フレーム２５に内設され、磁気素子２７はさらに第１極板２２２と第２極板２３２に対応して、それぞれ複数の磁極部２７１を設けられ、隣接する磁極部２７１の極性を異なっていて交差して設けられ、ホイルリム３が回転するとき、フレーム２５と磁気素子２７が同期して回転し、コイル組２４に誘導電流を発生させる。
【００２３】
発光素子２８はコイル組２４と電気接続された複数のＬＥＤを有し、誘導電流を利用して発光する。
【００２４】
透光シェル２９は基板２１もう一つの側に設けられ、透光シェル２９は発光素子２８に対応して光線を投射するための窓部２９１を設けられている。
【００２５】
図５、本考案の好ましい実施例を使用するときの態様図を参照する。図２、３を合わせて参照する。図示のとおり、運転者が車を運転し走行するとき、本考案の薄型化ホイルリムの装飾灯２はホイルリム３の回転によって、フレーム２５と磁気素子２７を駆動して同期に回転させ、基板２１上に設けられた釣り合い重り２６は重力の働きによって下向きを維持され、磁気素子２７が第１クローポール２２、第２クローポール２３と、コイル組２４との間において対向運動して、電磁誘導の原理によって、電気エネルギーを発生し、発光素子２８を点滅発光させる。
【００２６】
以上説明のとおり、本考案の薄型化ホイルリムの装飾灯２はフレーム２５と磁気素子２７と合わせて、第１クローポール２２、第２クローポール２３及びコイル組２４に対して、対向運動して電気エネルギーを発生し、発電の量を大幅に向上させる効果を有する。さらに、第１クローポール２２と第２クローポール２３がコイル組２４を覆う設計によって、体積軽減の効果を達成し、取付け後の美観性と安全性を向上させることができる。このほか、本考案はモジュール化設計のコイル組２４を使用しているため、製造コストを大幅に軽減し（設備コストと部材コストを含める）、専用の捲線機を使用しなくても、生産効率を向上させることができる。
【符号の説明】
【００２７】
１・・・・・ホイルリム装飾灯の構造
１１・・・・モータアセンブリ
１１１・・・モータ本体
１１１１・・回転軸
１１１２・・シェルベース
１１２・・・釣り合い重り
１１３・・・コイル組
１２・・・・電気回路板
１３・・・・発光ダイオード
１４・・・・グローブ
１５・・・・蓋体
２・・・・・薄型化ホイルリムの装飾灯
２１・・・・基板
２１１・・・軸穴
２１２・・・ブッシング
２１２１・・貫通穴
２２・・・・第１クローポール
２２１・・・第１通し穴
２２１１・・第１係止部
２２２・・・第１極板
２３・・・・第２クローポール
２３１・・・第２通し穴
２３１１・・第２係止部
２３２・・・第２極板
２４・・・・コイル組
２４１・・・絶縁ベース
２４１１・・輪状の凹み溝
２４１２・・第３通し穴
２４２・・・銅金属ワイヤー
２５・・・・フレーム
２５１・・・枢軸
２５２・・・当て物
２６・・・・釣り合い重り
２７・・・・磁気素子
２７１・・・磁極部
２８・・・・発光素子
２９・・・・透光シェル
２９１・・・窓部
３・・・・・ホイルリム
【図１】
0003175229.tif 000003
【図２】
0003175229.tif 000004
【図３】
0003175229.tif 000005
【図４】
0003175229.tif 000006
【図５】
0003175229.tif 000007